(57)【特許請求の範囲】
【請求項１】
下枠及び縦枠を有し、浴室内と浴室外との間に設けられた枠体と、
前記下枠から上方に突出させて設けられ、前記浴室外側への液体の流出を防止するための流出防止部材と、
前記下枠又は前記縦枠に固定され、前記流出防止部材の前記浴室内側面又は前記浴室外側面のいずれか一方の面と対向する第１の対向部と、他方の面と対向する第２の対向部とを有して前記流出防止部材の倒れを規制する倒れ規制部材と、を有し、
前記倒れ規制部材は、前記流出防止部材の倒れを規制すべく取り付けられた状態にて、前記第１の対向部と前記第２の対向部とが前記流出防止部材より上方にて繋がっていることを特徴とする浴室建具。
【請求項２】
請求項１に記載の浴室建具であって、
倒れ規制部材は、前記第１の対向部を有する第１部位と、前記第２の対向部を有する第２部位と、を有し、
前記第１部位は前記第１の対向部が前記流出防止部材と対向されて前記下枠に固定され、前記第２部位は前記第１部位の上部との連結部が弾性変形することにより回動自在に設けられ、前記第２部位が有する突片が、前記第１部位に設けられた凹部に嵌合されることにより、前記第２の対向部が前記流出防止部材と対向することを特徴とする浴室建具。
【請求項３】
請求項１に記載の浴室建具であって、
倒れ規制部材は、前記第１の対向部を有する第１部位と、前記第２の対向部を有する第２部位と、前記縦枠に固定される固定部位と、を有し、
前記第１部位及び第２部位は、前記第１の対向部と前記第２の対向部とが互いに対面するとともに前記第１の対向部と前記第２の対向部の一方の端部が前記固定部位と繋がっており、
前記流出防止部材の前記浴室内側及び前記浴室外側に配置された前記第１の対向部と前記第２の対向部とを近接する方向に移動させるための移動部材を備えることを特徴とする浴室建具。
【請求項４】
請求項１に記載の浴室建具であって、
倒れ規制部材は、前記第１の対向部を有する第１部材と、前記第２の対向部を有する第２部材と、を有し、
前記第１部材は前記第１の対向部が前記流出防止部材と対向されて前記下枠に固定され、前記第２部材は前記第２の対向部が前記流出防止部材と対向されるとともに前記流出防止部材より上方にて前記第１対向部と前記第２の対向部とが繋がった状態で前記縦枠に固定されることを特徴とする浴室建具。
【請求項５】
請求項１に記載の浴室建具であって、
倒れ規制部材は、前記第１の対向部を有する第１部材と、前記第２の対向部を有する第２部材と、を有し、
前記第１部材は前記第１の対向部が前記流出防止部材と対向されて前記下枠に固定され、前記第２部材は前記第１部材の上部に回動自在にピン接合され、前記第２部材が有する突片が、前記第１部材に設けられた凹部に嵌合されることにより、前記第２の対向部が前記流出防止部材と対向することを特徴とする浴室建具。
【請求項６】
請求項１乃至請求項５のいずれかに記載の浴室建具であって、
前記倒れ規制部材は、前記流出防止部材の見付け方向における端部と対向されていることを特徴とする浴室建具。
【発明の詳細な説明】
【技術分野】
【０００１】
本発明は、下枠及び縦枠を有し、浴室内と浴室外との間に設けられた枠体を有する浴室建具に関する。
【背景技術】
【０００２】
下枠及び縦枠を有し、浴室内と浴室外との間に設けられた枠体を有する浴室建具の中には、浴室外側への液体の流出を防止するための下止水材が下枠から上方に突出させて設けられているものがある。下止水材は、例えば、バリアフリー化された浴室建具に用いられ、浴槽から溢れた水が脱衣室側に流出しないように設けられている。このため、下止水材は起立状態が維持されるべく、開口内方に延在するように縦枠に設けられた止水材取付片と、縦枠と下枠との接合隅部に設けられる止水ブロックとにて下止水材の端部を挟持するように構成された建具が知られている（例えば、特許文献１参照）。
【特許文献１】特開２００７−１２６８９７号公報
【発明の開示】
【発明が解決しようとする課題】
【０００３】
しかしながら、下止水材は下枠の上に起立状態で存在しているだけであるにもかかわらず、下止水材の倒れを防止するための止水材取付片は、縦枠の長手方向に沿って開口内方に突出されている。このため、縦枠の材料費が嵩むとともに無用に開口部を塞ぎ景観を損ない、また清掃性も低下するという課題がある。
【０００４】
本発明は、かかる課題に鑑みてなされたものであり、その目的とするところは、開口部のより良好な景観を確保し清掃性に優れ、かつ浴室外への液体の流出を防止しうる安価な浴室建具を提供することにある。
【課題を解決するための手段】
【０００５】
かかる目的を達成するために本発明の浴室建具は、下枠及び縦枠を有し、浴室内と浴室外との間に設けられた枠体と、前記下枠から上方に突出させて設けられ、前記浴室外側への液体の流出を防止するための流出防止部材と、前記下枠又は前記縦枠に固定され、前記流出防止部材の前記浴室内側面又は前記浴室外側面のいずれか一方の面と対向する第１の対向部と、他方の面と対向する第２の対向部とを有して前記流出防止部材の倒れを規制する倒れ規制部材と、を有し、前記倒れ規制部材は、前記流出防止部材の倒れを規制すべく取り付けられた状態にて、前記第１の対向部と前記第２の対向部とが前記流出防止部材より上方にて繋がっていることを特徴とする浴室建具である。
【０００６】
このような浴室建具によれば、下枠から上方に突出させて設けられ、浴室外側への液体の流出を防止するための流出防止部材の浴室内側及び浴室外側と対向する対向部が倒れ規制部材に設けられているので、流出防止部材は浴室内側及び浴室外側の対向部の間に位置して浴室内側及び浴室外側への移動及び屈曲が規制される。このため倒れ規制部材の対向部により、流出防止部材を起立させた状態に維持させることが可能である。また、下枠又は縦枠に固定される倒れ規制部材の他には、流出防止部材を起立させるための部位は必要ない。このため、従来のように縦枠から開口の内方に向かって突出する部位を設ける必要はない。よって、開口部がより広く確保されるので、より良好な景観を得ることが可能であり、縦枠から突出する部位が少ないので清掃性が良く、かつ縦枠を製造するための材料を低減することが可能なので安価な浴室建具を実現することが可能である。
【０００７】
かかる浴室建具であって、倒れ規制部材は、前記第１の対向部を有する第１部位と、前記第２の対向部を有する第２部位と、を有し、前記第１部位は前記第１の対向部が前記流出防止部材と対向されて前記下枠に固定され、前記第２部位は前記第１部位の上部との連結部が弾性変形することにより回動自在に設けられ、前記第２部位が有する突片が、前記第１部位に設けられた凹部に嵌合されることにより、前記第２の対向部が前記流出防止部材と対向することが望ましい。
【０００８】
このような浴室建具によれば、倒れ規制部材を下枠のみにて固定することが可能であり、第１部位の上部との連結部を弾性変形させて回動し第２部位の突片を第１部位の凹部に嵌合することにより、流出防止部材の浴室内側と浴室外側とに第１部位と第２部位とを配置させることが可能である。このとき、流出防止部材の浴室内側及び浴室外側と対向する第１の対向部及び第２の対向部が対向しているので、流出防止部材の移動及び屈曲が規制され、流出防止部材を起立させた状態に維持させることが可能である。
【０００９】
かかる浴室建具であって、
倒れ規制部材は、前記第１の対向部を有する第１部位と、前記第２の対向部を有する第２部位と、前記縦枠に固定される固定部位と、を有し、前記第１部位及び第２部位は、前記第１の対向部と前記第２の対向部とが互いに対面するとともに前記第１の対向部と前記第２の対向部の一方の端部が前記固定部位と繋がっており、前記流出防止部材の前記浴室内側及び前記浴室外側に配置された前記第１の対向部と前記第２の対向部とを近接する方向に移動させるための移動部材を備えることが望ましい。
【００１０】
このような浴室建具によれば、流出防止部材の一方の面と対向する第１の対向部を有する第１部位と、他方の面と対向する第２の対向部を有する第２部位との一方の端部が固定部位と繋がっているので、固定部位を縦枠に固定するだけで、倒れ規制部材を枠体に固定することが可能である。また、第１の対向部と第２の対向部とが互いに対面しているので、第１の対向部と第２の対向部の間に流出防止部材を配置し、第１部位と第２部位とを移動部材にて近接させることにより、流出防止部材の浴室内側と浴室外側とに第１部位と第２部位を配置させて流出防止部材の倒れを規制することが可能である。
【００１１】
かかる浴室建具であって、倒れ規制部材は、前記第１の対向部を有する第１部材と、前記第２の対向部を有する第２部材と、を有し、前記第１部材は前記第１の対向部が前記流出防止部材と対向されて前記下枠に固定され、前記第２部材は前記第２の対向部が前記流出防止部材と対向されるとともに前記流出防止部材より上方にて前記第１対向部と前記第２の対向部とが繋がった状態で前記縦枠に固定されることが望ましい。
【００１２】
このような浴室建具によれば、流出防止部材の一方の面と対向する第１の対向部を有する第１部材と、他方の面と対向する第２当接面を有する第２部材とが別部材にて構成され、第１部材は第１の対向部が流出防止部材と対向されて下枠に固定され、第２部材は第２の対向部が流出防止部材と対向されて縦枠に固定されるので、第１部材と第２部材との相対位置を調整しつつ確実に流出防止部材と第１の対向部及び第２の対向部とを対向させることが可能である。特に、第１部材と第２部材とが別部材なので、相対的に移動させやすいため確実に対向させることが可能である。
【００１３】
かかる浴室建具であって、倒れ規制部材は、前記第１の対向部を有する第１部材と、前記第２の対向部を有する第２部材と、を有し、前記第１部材は前記第１の対向部が前記流出防止部材と対向されて前記下枠に固定され、前記第２部材は前記第１部材の上部に回動自在にピン接合され、前記第２部材が有する突片が、前記第１部材に設けられた凹部に嵌合されることにより、前記第２の対向部が前記流出防止部材と対向することが望ましい。
【００１４】
このような浴室建具によれば、流出防止部材の一方の面と対向する第１の対向部を有する第１部材は、第１の対向部が流出防止部材と対向されて下枠に固定され、他方の面と対向する第２の対向部を有する第２部材は、第１部材の上部にてピン接合された接合部にて回動し、第２部材が有する突片が第１部材に設けられた凹部に嵌合されることにより、第２当接面が流出防止部材に当接される。このため、倒れ規制部材を下枠のみにて固定して第２部材を滑らかに回動させ、第２部材の突片を第１部材の凹部に嵌合することにより流出防止部材と第１の対向部及び第２の対向部とを対向させて流出防止部材の浴室内側及び浴室外側への移動及び屈曲を規制し、流出防止部材の起立させた状態を維持させることが可能である。特に、第１部材と第２部材とはピン接合されているので、例えば薄肉状に形成されて弾性変形させて回動させる場合のように、第１の対向部と第２の対向部とが離れる方向への反力が作用しないため、より確実に対向させることが可能である。
【００１５】
かかる浴室建具であって、前記倒れ規制部材は、前記流出防止部材の見付け方向における端部と対向されていることが望ましい。
【００１６】
このような浴室建具によれば、倒れ規制部材は、流出防止部材の見付け方向における端部と対向しているので、浴室建具における出入口となる開口の隅部に配置されることになる。このため、倒れ規制部材上を人が通る可能性は少ないので、誤って倒れ規制部材を踏むことを防止することが可能である。
【発明の効果】
【００１７】
本発明によれば、開口部のより良好な景観を確保し清掃性に優れ、かつ浴室外への液体の流出を防止しうる安価な浴室建具を提供することが可能である。
【発明を実施するための最良の形態】
【００１８】
以下、本発明の一実施形態に係る浴室建具について図を参照して説明する。
【００１９】
本実施形態では、見付け方向に移動して開口を閉塞可能な障子が壁部側に収容される片引きタイプの浴室建具を例に挙げて説明する。本実施形態の浴室建具１０は、図１、図２に示すように、躯体に固定され、浴室内と浴室外としての脱衣室（浴室外）との間の開口に設けられた枠体１２と、枠体１２に移動自在に設けられた２枚の障子１１と、障子１１が収容される空間の浴室側の壁を形成する壁部３０と、を有している。
【００２０】
以下の説明では、浴室建具１０を脱衣室内側から見たときに上下となる方向を上下方向、左右となる方向を左右方向または見付け方向、浴室の内外方向である奥行き方向を見込み方向として示す。
【００２１】
枠体１２は、障子１１の上下に位置する上枠１３及び下枠２０と、左右に位置する縦枠１５、１６と、開口部分と障子１１が収容される空間の浴室側壁部との間に位置する縦骨１７と、を有している。上枠１３及び下枠２０には、障子１１を開閉する際に障子１１が案内されるレール２４ａが設けられている。本実施形態の浴室建具１０は、脱衣側から見て縦骨１７より左側に枠体１２により形成される開口を２枚の障子１１にて閉塞する浴室建具１０であるため、下枠２０には２本のレール２４ａが設けられている。また、２枚の障子１１がいずれも縦骨１７より右側に設けられた壁部３０の脱衣室側に移動されて収容されることにより、浴室への出入口が開放されるため、２本のレール２４ａは、障子１１が収容される壁部３０の脱衣室側の領域を含む左右の縦枠１５、１６間の全域に渡って設けられている。
【００２２】
下枠２０は、図３、図４に示すように、脱衣室側と浴室の床（防水パン）５２とに架け渡されて脱衣室側の躯体５０に固定された下枠本体２１と、障子１１が案内されるレール２４ａが設けられたレール体２４と、下枠本体２１の浴室側の縁部２１ａを覆い下枠上面と浴室の床５２とを繋ぐスロープを形成するアタッチメント２６と、下枠本体２１に設けられ上方に突出された流出防止部材４４と、流出防止部材４４の倒れを規制する倒れ規制部材７０と、を有している。下枠本体２１、レール体２４、アタッチメント２６はいずれも押出成形部材であるため、長手方向におけるいずれの位置における断面形状も同一である。
【００２３】
下枠本体２１は、脱衣室側の躯体５０にねじにより固定される固定部３２と、固定部３２の浴室側端側から垂設された脱衣室側壁部３５と、固定部３２より低い位置から浴室側に向かって低くなる僅かな勾配を有するように延出された底部３６と、底部３６における見込み方向のほぼ中央から上方に立設された中央壁部３７とを有している。
【００２４】
固定部３２には、見付け方向に沿って２つの溝部３３、３４が、見込み方向に並べて設けられている。２つの溝部３３、３４の上端部にはいずれも、見込み方向における各溝部３３、３４の中央側に向かって僅かに突出された突出片３３ａ、３４ａが設けられている。
【００２５】
また、２つの溝部３３、３４のうち脱衣室側に設けられた溝部３３は、浴室側の溝部３４より見込み方向の幅が広く、底３３ｂの外面３３ｃが躯体５０の上面に当接される。脱衣室側の溝部３３の底３３ｂには、見付け方向に沿って互いに間隔を隔てて配置され、ねじが挿通される複数の固定孔３２ａが設けられている。そして、下枠２０は固定孔３２ａにねじが挿通されて躯体５０に螺合されることにより固定される。このため、脱衣室側の溝部３３の対向する突出片３３ａ間の間隔はねじ頭部より広く形成されている。さらに、脱衣室側の溝部３３には、見付け方向のほぼ全域に亘って、カバー部材３８が嵌合されている。カバー部材３８は、ほぼ板状の部材であり、脱衣室側の溝部３３に嵌合されて突出片３３ａと係合されて取り付けられる。カバー部材３８が取り付けられることにより、躯体５０に下枠本体２１を固定しているねじが覆われて外部に露出しなくなる。
【００２６】
浴室側に設けられた溝部３４には、ゴム製の流出防止部材４４が嵌合される。  
流出防止部材４４は、見付け方向のほぼ全域に配置されるように形成された部材であり、下枠２０の上方に突出されて浴室側からの水の流出を防止するための本体部４４ａと、浴室側の溝部３４の突出片３４ａに係止されて本体部４４ａが鉛直方向に突出するように支持する係止支持部４４ｂとを有している。
【００２７】
倒れ規制部材７０は、下枠２０に固定される第１部位としての基部７１と、基部７１と一体に形成され、基部７１上部の薄肉状の部位にて繋がった第２部位としての挟持部７２とを有している。以下の説明では、倒れ規制部材が、流出防止部材４４と対向する第１の対向部及び第２の対向部はいずれも、流出防止部材４４の浴室内側面又は浴室外側面と対向するとともに当接して、第１の対向部と第２の対向部とが流出部材４４を挟持する例について説明する。
【００２８】
また、本実施形態の倒れ規制部材７０は、下枠２０の脱衣室側の溝部３３であって、見付け方向における両端部、すなわち、縦枠１５、１６と隣接させて設けられている。このため、脱衣室側の溝部３３に嵌合されるカバー部材３８は、脱衣室側の溝部３３に嵌合される倒れ規制部材７０の分だけ短く形成されている。
【００２９】
基部７１は、脱衣室側の溝部３３に取り付けられた状態で、見付け方向から見た形状は、上部の見込み方向の長さが下部の見込み方向の長さより短いほぼ台形をなし、流出防止部材４４より僅かに高く形成されている。そして、ほぼ鉛直面をなし浴室に臨む面が第１の対向部としての第１当接面７１ａとなる。基部７１は、上部であって見込み方向において第１当接面７１ａと反対側にて挟持部７２と繋がっている。基部７１と挟持部７２との繋がった部位は薄肉部７１ｂが設けられており、この薄肉部７１ｂを中心に挟持部７２が回動するように形成されている。第１当接面７１ａと薄肉部７１ｂとの間には、下方に窪む凹部７１ｃが形成されている。凹部７１ｃの浴室側の部位には脱衣室側に突出する突起７１ｄが設けられている。
【００３０】
挟持部７２は、回動した際に基部７１の上部を覆う天部７２ａと、天部７２ａの下面から垂下され基部７１の凹部７１ｃに入り込み突起７１ｄと係合する突片としての係合部７２ｂと、係合部７２ｂと突起７１ｄとが係合した状態で、第１当接面７１ａと対面する第２の対向部としての第２当接面７２ｃを有する浴室側壁部７２ｄを有している。
【００３１】
倒れ規制部材７０は、流出防止部材４４が取り付けられた下枠２０の、浴室側の溝部３３に基部７１が嵌合されると、第１当接面７１ａが流出防止部材４４の脱衣室側の面と対向されて当接される。そして、薄肉部７１ｂを中心として挟持部７２を回動させることにより、係合部７２ｂが凹部７１ｃに挿入されて突起７１ｄと係合するとともに、第２当接面７２ｃが流出防止部材４４の浴室側の面と対向されて当接される。これにより、流出防止部材４４は基部７１と挟持部７２とにより挟持される。倒れ規制部材７０は、流出防止部材４４の見付け方向における両端部に設けられているので流出防止部材４４は両端部にて倒れ規制部材７０にて挟持される。
【００３２】
本実施形態の浴室建具１０によれば、下枠２０の脱衣室側の溝部３３に嵌合された倒れ規制部材７０の第１当接面７１ａ及び第２当接面７２ｃを浴室側及び脱衣室側から対向させるとともに当接させて流出防止部材４４を挟持するので、脱衣出側への水等の液体の流出を防止するために下枠２０から上方に突出させた流出防止部材４４を起立した状態に維持させることが可能である。また、下枠２０に固定された倒れ規制部材７０の他には、流出防止部材４４を起立させるための部位は必要ないため、従来のように縦枠から出入口の内方に向かって突出する部位を設ける必要はない。よって、浴室の出入口がより広く確保されるので、より良好な景観が得られるとともに、縦枠から突出する部位が少ないので清掃性が良く、かつ縦枠１５、１６を製造するための材料を低減することが可能なので安価な浴室建具１０を実現することが可能である。
【００３３】
また、流出防止部材４４の脱衣室側の面に当接される第１当接面７１ａを有する基部７１は、第１当接面７１ａが流出防止部材４４に当接されて下枠２０に固定され、浴室側の面に当接される第２当接面７２ｃを有する挟持部７２は、基部７１の上部と連結される連結部としての薄肉部７１ｂが弾性変形することにより回動し、挟持部７２が有する係合部７２ｂが基部７１に設けられた凹部７１ｃに嵌合されることにより、第２当接面７２ｃが流出防止部材４４に対向されて当接される。このため、倒れ規制部材７０を下枠２０のみにて固定し、挟持部７２の係合部７２ｂを基部７１の凹部７１ｃに嵌合することにより流出防止部材４４を基部７１と挟持部７２とにて挟み、流出防止部材４４の起立状態を維持させることが可能である。
【００３４】
以下、倒れ規制部材の変形例について、上記実施形態と同様の構成部分に同一符号を付して重複する説明を省略して述べる。
【００３５】
第１変形例の倒れ規制部材８０は、図５、図６に示すように、基部材８１と挟持部材８２とが別部材にて形成されており、挟持部材８２は基部材８１の上部にて回動自在にピン結合されている。すなわち、基部材８１の見付け方向における両端部から上方に延出された部位間に渡って架け渡されたピンを軸として挟持部材８２が回動するように構成されている。
【００３６】
そして、第１変形例の倒れ規制部材８０も、流出防止部材４４が取り付けられた下枠２０の、浴室側の溝部３３に基部材８１が嵌合されると、第１の対向部としての第１当接面８１ａが流出防止部材４４の脱衣室側の面と対向されて当接される。そして、ピンを中心として挟持部材８２を回動させることにより、突片としての係合部８２ｂが凹部８１ｃに挿入されて突起８１ｄと係合するとともに、第２の対向部としての第２当接面８２ｃが流出防止部材４４の浴室側の面と対向されて当接される。これにより、流出防止部材４４は基部材８１と挟持部材８２とにより挟持される。
【００３７】
第１変形例の倒れ規制部材８０を備えた浴室建具１０によれば、流出防止部材４４の脱衣室側の面と対向されるとともに当接される第１当接面８１ａを有する基部材８１は、第１当接面８１ａが流出防止部材４４に当接されて下枠２０に固定され、浴室側の面に対向されるとともに当接される第２当接面８２ｃを有する挟持部材８２は、基部材８１の上部にてピン接合された接合部にて回動し、挟持部材８２が有する係合部８２ｂが基部材８１に設けられた凹部８１ｃに嵌合されることにより、第２当接面８２ｃが流出防止部材４４に当接される。このため、倒れ規制部材８０を下枠２０のみにて固定して滑らかに回動させ、挟持部材８２の係合部８２ｂを基部材８１の凹部８１ｃに嵌合することにより流出防止部材４４を基部材８１と挟持部材８２とにて挟み起立状態を維持させることが可能である。特に、基部材８１と挟持部材８２とはピン接合されているので、例えば薄肉状に形成されて弾性変形させて回動させる場合のように、第１当接面８１ａと第２当接面８２ｃとが離れる方向への力が作用しないため、より強固に流出防止部材４４を挟持することが可能である。
【００３８】
第２変形例の倒れ規制部材８５は、図７に示すように、第１変形例と同様に基部材８６と挟持部材８７とが別部材にて形成されており、挟持部材８７が有する係合部８７ａが、基部材８６が有する凹部８６ａに上方から挿入されて固定されるように構成されている。  
基部材８６の上部には、下方に窪む凹部８６ａが形成され、凹部８６ａの浴室側の部位には脱衣室側に突出する突起８６ｂが設けられている。  
挟持部材８７は、第２当接面８７ｃを有する浴室側壁部８７ｂと、基部材８６の凹部８６ａに入り込み突起８６ｂと係合する突片としての係合部８７ａと、が上端部にて連結され構成されている。
【００３９】
そして、第２変形例の倒れ規制部材８５は、流出防止部材４４が取り付けられた下枠２０の、浴室側の溝部３３に基部材８６が嵌合されると、第１の対向部としての第１当接面８６ｃが流出防止部材４４の脱衣室側の面と対向されるとともに当接される。そして、挟持部材８７を基部材８６に上方から取り付けることにより、係合部８７ａが凹部８６ａに挿入されて突起８６ｂと係合するとともに、第２の対向部としての第２当接面８７ｃが流出防止部材４４の浴室側の面と対向されるとともに当接される。これにより、流出防止部材４４は、挟持部材８７弾性力により押圧されつつ基部材８６と挟持部材８７とにより挟持される。
【００４０】
第２変形例の倒れ規制部材８５を備えた浴室建具１０によれば、挟持部材８７を基部材８６に上方から取り付けるだけで、挟持部材８７の弾性力により押圧させて流出防止部材４４を基部材８６と挟持部材８７とにより容易に挟持させることが可能である。
【００４１】
第３変形例の倒れ規制部材９０は、図８、図９に示すように、第１及び第２変形例と同様に基部材９１と挟持部材９２とが別部材にて形成されている。
【００４２】
基部材９１は、ほぼ直方体状をなすブロック状の基部本体９１ａと、基部本体９１ａの下に、脱衣室側の溝部３３に入り込む脚部９１ｂを有しており、脚部９１ｂが脱衣室側の溝部３３に嵌合された状態で浴室に臨む面が第１の対向部としての第１当接面９１ｃをなしている。図９ではカバー部材３８を省略している。
【００４３】
挟持部材９２は、見込み方向の幅が基部材９１より広く形成され、基部材９１上に載置される挟持部本体９２ａと、基部材９１上に載置された状態で基部材９１より浴室側に突出する端部から垂下される浴室側壁部９２ｂとを有し、浴室側壁部９２ｂの脱衣室側の面が第２の対向部としての第２当接面９２ｃをなしている。また、挟持部本体９２ａには、ほぼ中央に見付け方向に貫通する貫通孔９２ｄが設けられており、貫通孔９２ｄには、挟持部材９２を縦枠１５、１６に固定するためのねじが挿通される。貫通孔９２ｄは、座繰りが施されておりねじの頭部が挟持部本体９２ａ内に収容されるように構成されている。
【００４４】
そして、第３変形例の倒れ規制部材９０は、流出防止部材４４が取り付けられた下枠２０の、浴室側の溝部３３に基部材９１が嵌合されると、第１当接面９１ｃが流出防止部材４４の脱衣室側の面と対向されるとともに当接される。そして、挟持部材９２を基部材９１の上方から載置し挟持部材９２を脱衣室側に押圧しつつねじ止めすることにより、第２当接面９２ｃが流出防止部材４４の浴室側の面と対向されつつ当接され、流出防止部材４４が基部材８６と挟持部材８７とにより挟持される。
【００４５】
第３変形例の倒れ規制部材９０を備えた浴室建具１０によれば、流出防止部材４４の脱衣室側の面と対向されて当接される第１当接面９１ｃを有する基部材９１と、浴室側の面と対向されて当接される第２当接面９２ｃを有する挟持部材９２とが別部材にて構成され、基部材９１は第１当接面９１ｃが流出防止部材４４に当接されて下枠２０に固定され、挟持部材９２は第２当接面９２ｃが流出防止部材４４に当接されて縦枠１５、１６に固定されるので、基部材９１と挟持部材９２との相対位置を調整しつつ確実に流出防止部材４４を挟持させることが可能である。特に、基部材９１と挟持部材９２とが別部材なので、相対的に移動させやすいため流出防止部材４４を確実に挟持させることが可能である。
【００４６】
第４変形例の倒れ規制部材９５は、図１０に示すように、浴室側に臨む第１当接面９６ａを有する第１部位としての脱衣室側板部９６と、第１の対向部としての第１当接面９６ａと対面する第２の対向部としての第２当接面９７ａを有する第２部位としての浴室側板部９７との上端部同士が、側面視ほぼ楕円形状をなし、縦枠１５，１６に固定される固定部位９８の浴室側端部にて連結されている。
【００４７】
倒れ規制部材９５は、樹脂製であり、脱衣室側板部９６と浴室側板部９７とは、それらの間隔が、固定部位９８側が狭く先端側に向かって広くなるように対面させて形成され、弾性変形させることにより第１当接面９６ａと第２当接面９７ａとが互いに近接する方向に移動し接触可能に構成されている。また、脱衣室側板部９６には移動部材としてのねじ９９が挿通される貫通穴９６ｂと、浴室側板部９７には、貫通穴９６ｂに挿通されたねじ９９が螺合されるねじ穴９７ｂがそれぞれ設けられている。
【００４８】
そして、第４変形例の倒れ規制部材９５は、下枠２０に取り付けられた流出防止部材４４が、脱衣室側板部９６と浴室側板部９７との間に位置するように配置するとともに、第２当接面９７ａを流出防止部材４４の浴室側の面と対向させるとともに当接させて固定部位９８を貫通するねじにて縦枠１５、１６に固定する。そして、脱衣室側板部９６の貫通穴９６ｂに挿通させたねじ９９を浴室側板部９７のねじ穴９７ｂに螺合させることにより、第１当接面９６ａが流出防止部材４４の脱衣室側の面に近接した状態で対向された後、当接されて流出防止部材４４が脱衣室側板部９６と浴室側板部９７とにより挟持される。
【００４９】
第４変形例の倒れ規制部材９５を備えた浴室建具１０によれば、流出防止部材４４の脱衣室側の面と対向されて当接される第１当接面９６ａを有する脱衣室側板部９６と、浴室側の面と対向されて当接される第２当接面９７ａを有する浴室側板部９７との端部が固定部位９８と繋がっているので、固定部位９８を縦枠１５、１６に固定するだけで、倒れ規制部材９５を縦枠１５、１６に固定することが可能である。また、互いに対面する第１当接面９６ａと第２当接面９７ａとの間に流出防止部材４４を配置し、脱衣室側板部９６及び浴室側板部９７とを近接させる方向に移動させるねじ９９にて固定することにより流出防止部材４４が挟持されるので、流出防止部材４４を確実に挟持して流出防止部材４４の起立状態を維持させることが可能である。
【００５０】
上記４つの変形例を含む各実施形態においては、いずれも流出防止部材４４と第１当接面７１ａ、８１ａ、８６ｃ、９１ｃ、９６ａ及び第２当接面７２ｃ、８２ｃ、８７ｃ、９２ｃ、９７ａとが対向するとともに当接している例について説明したが、必ずしも当接していなくとも良い。例えば、流出防止部材４４と第１当接面７１ａ、８１ａ、８６ｃ、９１ｃ、９６ａ及び第２当接面７２ｃ、８２ｃ、８７ｃ、９２ｃ、９７ａとが、それらの間に空隙を有して対向していてもよい。このような場合であっても、第１当接面７１ａ、８１ａ、８６ｃ、９１ｃ、９６ａと第２当接面７２ｃ、８２ｃ、８７ｃ、９２ｃ、９７ａとの間に配置された流出防止部材４４に外力等が作用して流出防止部材４４が移動及び屈曲しそうになると、対向している第１の対向部及び第２の対向部にて流出防止部材４４の移動及び屈曲が規制されるため、流出防止部材４４の倒れを規制することが可能である。
【００５１】
但し、上記４つの変形例を含む各実施形態にて説明したように、流出防止部材４４の浴室側及び脱衣室側にそれぞれ第１当接面７１ａ、８１ａ、８６ｃ、９１ｃ、９６ａまたは第２当接面７２ｃ、８２ｃ、８７ｃ、９２ｃ、９７ａが当接されて流出防止部材４４が挟持されていると、たとえ流出防止部材４４が熱等により収縮する場合であっても当該収縮を抑えることが可能である。このため、流出防止部材４４の収縮による浴室側から脱衣室側への水等の流出を防止することが可能である。
【００５２】
上記実施の形態においては、片引きタイプの浴室建具を例に挙げて説明したが、これに限定されるものではなく、例えば、折れ戸や開き戸を備えた浴室建具であっても構わない。
【００５３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５４】
【図１】実施形態に係る浴室建具を脱衣室側から見た概略図である。
【図２】実施形態に係る浴室建具の平断面図である。
【図３】実施形態に係る浴室建具の縦断面図である。
【図４】実施形態に係る倒れ規制部材を説明するための斜視図である。
【図５】第１変形例に係る倒れ規制部材を説明するための斜視図である。
【図６】第１変形例に係る倒れ規制部材を説明するための側面図である。
【図７】第２変形例に係る倒れ規制部材を説明するための側面図である。
【図８】第３変形例に係る倒れ規制部材を説明するための斜視図である。
【図９】第３変形例に係る倒れ規制部材を説明するための側面図である。
【図１０】第４変形例に係る倒れ規制部材を説明するための側面図である。
【符号の説明】
【００５５】
１０  浴室建具、１２  枠体、１５  縦枠、２０  下枠、
４４  流出防止部材、７０  倒れ規制部材、７１  基部、
７１ａ  第１当接面、７１ｂ  薄肉部、７１ｃ  凹部、７１ｄ  突起、
７２  挟持部、７２ｂ  係合部、７２ｃ  第２当接面、７２ｄ  浴室側壁部、
８０  倒れ規制部材、８１  基部材、
８１ａ  第１当接面、８１ｃ  凹部、８１ｄ  突起、
８２  挟持部材、８２ｂ  係合部、８２ｃ  第２当接面、
８５  倒れ規制部材、８６  基部材、
８６ａ  凹部、８６ｂ  突起、８６ｃ  第１当接面、
８７  挟持部材、８７ａ  係合部、８７ｂ  浴室側壁部、８７ｃ  第２当接面、
９０  倒れ規制部材、９１  基部材、
９１ａ  基部本体、９１ｂ  脚部、９１ｃ  第１当接面、
９２  挟持部材、９２ａ  挟持部本体、９２ｂ  浴室側壁部、
９２ｃ  第２当接面、９２ｄ  貫通孔、
９５  倒れ規制部材、９６  脱衣室側板部、９６ａ  第１当接面、
９７  浴室側板部、９７ａ  第２当接面、９８  固定部位、９９  ねじ
【図１】
0004926896.tif 000002
【図２】
0004926896.tif 000003
【図３】
0004926896.tif 000004
【図４】
0004926896.tif 000005
【図５】
0004926896.tif 000006
【図６】
0004926896.tif 000007
【図７】
0004926896.tif 000008
【図８】
0004926896.tif 000009
【図９】
0004926896.tif 000010
【図１０】
0004926896.tif 000011